(57)【特許請求の範囲】
【請求項１】
オーディオデータを生成するプレーヤ本体と、
該プレーヤ本体から生成されたオーディオデータを再生するスピーカと、
上記プレーヤ本体とスピーカとを保持するアームとを備える一方、
上記プレーヤ本体は、データ処理を行う回路基板と頭部との間に電池収納部を形成したことを特徴とするヘッドホン型プレーヤ。
【請求項２】
上記プレーヤ本体は、上記回路基板における信号処理又は信号転送を高速で行う部位に対向して上記電池収納部を配置することを特徴とする請求項１記載のヘッドホン型プレーヤ。
【請求項３】
上記プレーヤ本体は、上記電池収納部を露出又は閉塞する蓋体を頭部側に形成したことを特徴とする請求項１又は請求項２記載のヘッドホン型プレーヤ。
【請求項４】
オーディオデータを生成するプレーヤ本体と、
該プレーヤ本体から生成されたオーディオデータを再生するスピーカと、
上記プレーヤ本体とスピーカとを保持するアームとを備える一方、
上記プレーヤ本体は、当該プレーヤ本体の筺体と当該筺体内に形成された電池収納部に収納される電池のマイナス端子とを電気的な抵抗素子を通して電気的に接続することを特徴とするヘッドホン型プレーヤ。
【請求項５】
オーディオデータを生成するプレーヤ本体と、
該プレーヤ本体から生成されたオーディオデータを再生するスピーカと、
上記プレーヤ本体とスピーカとを保持するアームとを備える一方、
上記プレーヤ本体は、電池収納部又は電池収納部と回路基板とを格納する第１の格納部と、該第１の格納部を格納する第２の格納部と、上記第１の格納部を第２の格納部内においてスライド可能に保持するスライド機構とを備えたことを特徴とするヘッドホン型プレーヤ。
【発明の詳細な説明】
【０００１】
【発明の属する技術分野】
本発明は、ヘッドホン型プレーヤに関する。
【０００２】
【従来の技術】
従来のポータブル型オーディオプレーヤは、主にカセットテープ、ＣＤ（コンパクトディスク）、ＭＤ（ミニディスク）等を記録メディアに用いる機器が主であり、該記録メディアからの再生のいては、メディア上に光学的又は磁気的に記録されたオーディオデータを取り出すための制御機構が必要であった。よって、記録メディア制御部分は、該機構に関連する大きさ、重量、メカノイズ等の事情により、頭部に装着するヘッドホンを含む部分には設けず、別の筺体に格納する構成であった。そして、頭部に装着するヘッドホンには、再生用スピーカとヘッドホン装着保持具および再生信号伝送用信号ケーブルで構成しており、又電池に関しても、記録メディア制御部分を格納する筺体に格納するか又は独立した筺体に格納し、記録メディア制御部分を格納する筺体に接続する構成であった。
【０００３】
近年、半導体技術の発展により、不揮発性記憶素子であるフラッシュメモリ等の半導体の記憶容量の拡大および低電圧化に伴い、オーディオデータの記憶に該半導体を再移用したポータブルプレーヤが登場してきた。半導体メモリを使用した機器では、半導体メモリに電気的に記録されたオーディオデータを電気的に取り出すことから機構的な制約が少ないため、ペンダントタイプ、腕時計型、ヘッドホン型等の小型機器が発表・発売されている。
【０００４】
【発明が解決しようとする課題】
ところで、上述のような半導体メモリを使用した小型機器では、オーディオデータを圧縮処理した状態で記憶し、再生時に、圧縮されたデータの伸長処理を行ってオーディオデータの生成を行う機器が主流であり、このようなデータ圧縮としては、高圧縮であっても音質劣化の少ないアルゴリズムが採用され、単純な圧縮アルゴリズムと比較すると、より多くの演算処理が必要であり、又著作権保護等を目的にオーディオデータに暗号化が施されている場合には、再生時に暗号解除処理も平行して行う必要があるため、これらの要件を満たすデータ処理を行うために、データ処理能力が大きく演算速度の速いＤＳＰ（デジタルシグナルプロセッサ）等のＬＳＩを用いていた。
【０００５】
ところが、このようなＬＳＩを用いて高速演算処理を行った場合には、低速演算処理に比較して電磁波等の不要輻射が大きくなる傾向があり、又半導体メモリを使用した小型機器として、特にヘッドホン型プレーヤにおいては、頭髪等との摩擦による静電気が回路に影響を及ぼすといった問題点があり、この不要輻射対策や静電気対策を講じるために、シールド板を用いるのが一般的であるが、シールド板を用いた場合には、重量の増大や機器の大型化やコストアップを招くといった問題点があった。
【０００６】
本発明は、重量の増大や機器の大型化やコストアップを招くことなく、不要輻射対策や静電気対策を講じることができるヘッドホン型プレーヤを提供することを目的とするものである。
【０００７】
【課題を解決するための手段】
上記目的を達成するために、本発明は、オーディオデータを生成するプレーヤ本体と、該プレーヤ本体から生成されたオーディオデータを再生するスピーカと、上記プレーヤ本体とスピーカとを保持するアームとを備える一方、上記プレーヤ本体が、データ処理を行う回路基板と頭部との間に電池収納部を形成するよう構成したものである。
【０００８】
従って、本発明によれば、アームに保持されたプレーヤ本体が、データ処理を行う回路基板と頭部との間に電池収納部を形成することにより、この電池収納部又は電池収納部に収納される電池によって回路基板上に配置された部品から発生する不要輻射の漏洩等を軽減することができる。
【０００９】
又、本発明は、上記の構成に加え、上記プレーヤ本体が、上記回路基板における信号処理又は信号転送を高速で行う部位に対向して上記電池収納部を配置するよう構成したものである。
【００１０】
従って、本発明によれば、アームに保持されたプレーヤ本体が、データ処理を行う回路基板と頭部との間であって、回路基板における信号処理又は信号転送を高速で行う部位に対向して電池収納部を形成することにより、この電池収納部又は電池収納部に収納された電池によって回路基板上に配置された部品から発生する不要輻射の漏洩等を効果的に軽減することができる。
【００１１】
又、本発明は、上記の何れかの構成に加え、上記プレーヤ本体が、上記電池収納部を露出又は閉塞する蓋体を頭部側に形成するよう構成したものである。
【００１２】
従って、本発明によれば、アームに保持されたプレーヤ本体が、データ処理を行う回路基板と頭部との間に電池収納部を形成すると共に、その電池収納部を露出又は閉塞する蓋体を頭部側に形成することにより、電池収納部又は電池収納部に収納された電池によって回路基板上に配置された部品から発生する不要輻射の漏洩等を軽減することができると共に、アーム装着時における電池蓋の誤開閉をも防止することができる。
【００１３】
又、本発明は、オーディオデータを生成するプレーヤ本体と、該プレーヤ本体から生成されたオーディオデータを再生するスピーカと、上記プレーヤ本体とスピーカとを保持するアームとを備える一方、上記プレーヤ本体が、当該プレーヤ本体の筺体と当該筺体内に形成された電池収納部に収納される電池のマイナス端子とを電気的な抵抗素子を通して電気的に接続するよう構成したものである。
【００１４】
従って、本発明によれば、アームに保持されたプレーヤ本体が、当該プレーヤ本体の筺体と当該筺体内に形成された電池収納部に収納される電池のマイナス端子とを電気的な抵抗素子を通して電気的に接続することにより、頭部及び頭髪とプレーヤ本体の筺体との間の摩擦で発生する静電気が放電電圧に上昇する前にプレーヤ本体の筺体内に通電することができる。
【００１５】
更に、本発明は、オーディオデータを生成するプレーヤ本体と、該プレーヤ本体から生成されたオーディオデータを再生するスピーカと、上記プレーヤ本体とスピーカとを保持するアームとを備える一方、上記プレーヤ本体が、電池収納部又は電池収納部と回路基板とを格納する第１の格納部と、該第１の格納部を格納する第２の格納部と、上記第１の格納部を第２の格納部内においてスライド可能に保持するスライド機構とを備えたものである。
【００１６】
従って、本発明によれば、アームに保持されたプレーヤ本体に備えられた第１の格納部が第２の格納部内に格納されると共に、その第２の格納部内においてスライド機構によってスライド可能に保持することにより、プレーヤ本体の重心位置を自由に選択することができる。
【００１７】
【発明の実施の形態】
以下、本発明の実施の形態を図面に基づいて詳細に説明する。
【００１８】
図１は本発明の一実施の形態であるヘッドホン型プレーヤの電気的構成を示す機能ブロック図、図２乃至図４は同ヘッドホン型プレーヤの外観構成を示す斜視図であり、図２は背面側を斜め上方から見た場合、図３は正面側を上方から見た場合、図４は正面側を下方から見た場合をそれぞれ示す。図５は同ヘッドホン型プレーヤを装着したときの外観構成を示す斜視図、図６は同ヘッドホン型プレーヤにおけるプレーヤ本体の回路基板と電池との位置関係を示す説明図であり、（ａ）は電池の形状が大きい場合の例を（ｂ）は電池の形状が小さい場合の例をそれぞれ示す。図７は同ヘッドホン型プレーヤにおけるプレーヤ本体の筺体と回路基板と電池との関係を示す説明図、図８は同ヘッドホン型プレーヤのプレーヤ本体内の信号配線の状態を示す説明図、図９は同ヘッドホン型プレーヤにおける外観構成の他の例を示す上面図である。
【００１９】
以下、本発明の一実施の形態であるヘッドホン型プレーヤを、図１乃至図９に基づいて説明する。
【００２０】
図１乃至図５において、１はオーディオデータを記憶する記憶部であり、この記憶部１は、交換可能なＩＣカード又は制御用回路基板に直接実装されたフラッシュメモリチップ（他の論理素子と共に１チップにマウントされたマルチチップモジュールも含む）等により構成されている。
【００２１】
２は記憶部１を接続するメモリ接続部、３は図示しない接続アダプタを接続するアダプタ接続部、４はメモリ接続部２及びアダプタ接続部３を露出又は閉塞する開閉蓋である。
【００２２】
５はメモリ接続部２に接続された記憶部１から読み出されたオーディオデータに施された暗号を解除する暗号解除処理部、６は暗号解除処理部５によって暗号解除されたオーディオデータに施された圧縮を解除する伸長処理部であり、これら暗号解除処理部２及び伸長処理部３は、高速演算処理が必要なため、数ＭＨｚ〜数十ＭＨｚのクロックで動作するＤＳＰ等の回路で構成されている。
【００２３】
７は伸長処理部６によって伸長処理されたオーディオデータをアナログデータに変換するＤ／Ａ変換器、８はＤ／Ａ変換器７によって変換されたアナログデータを増幅するアンプ、９（Ｃ）はアンプ８によって増幅されたアナログデータを再生音声として外部に出力するスピーカであり、Ｄ／Ａ変換器７及びアンプ８は、４４．１ＫＨｚまたは４８ＫＨｚサンプリングのオーディオデータを再生する為に、該周波数を含むクロックで動作するよう構成されている。
【００２４】
１０は各種操作を指示する操作部であり、ＲＥＳＥＴボタン１０ａ、音量調整・表示切換を行うシャトルスイッチ１０ｂ、ＭＥＮＵボタン１０ｃ、停止ボタン１０ｄ、及び再生・一時停止・早戻し・早送り・曲番選択・メニュー選択・メニュー決定を行うシャトルスイッチ１０ｅ等によって構成されている。
【００２５】
１１は機器の状態を表示するディスプレイであり、曲名・曲番号・経過時間・メニュー表示・エラー表示等を行う文字情報表示部１１ａ、重低音表示部１１ｂ、再生モード表示部１１ｃ、及び電池残量表示部１１ｄ等によって構成されている。
【００２６】
１２は電池、１３は電池１２を収納する電池収納部、１４は電池収納部１３を露出又は閉塞する電池蓋、１５は電池収納部１３に収納された電池９を電源として各部に必要な電源供給を行う電源制御部であり、この電源制御部１５は、効率及び熱対策のために数十ＫＨｚ〜１００ＫＨｚ程度の発振で動作するスイッチング電源等によって構成されている。
【００２７】
１６は操作部１０の状態を検出し、各々の選択された機能に基づいてディスプレイ１１や電源制御部１５を含む各種機能の設定・処理を行うＣＰＵであり、このＣＰＵ１６は、時計計時用の３２．７６８ＫＨｚのクロックと、通常動作用の数ＭＨｚのクロックで動作するよう構成されている。
【００２８】
そして、メモリ接続部２と、アダプタ接続部３と、開閉蓋４と、暗号解除処理部５と、伸長処理部６と、Ｄ／Ａ変換器７と、アンプ８と、操作部１０と、ディスプレイ１１と、電池収納部１３と、電池蓋１４と、電源制御部１５と、ＣＰＵ１６とによってプレーヤ本体Ａが構成され、このプレーヤ本体Ａの両端部にアームＢが接続されると共に、このアームＢの他端側にスピーカＣ（９）が接続されている。
【００２９】
又、アームＢは、図５に示すように、プレーヤ本体Ａ側よりもスピーカＣ側に近い側で上向きに湾曲するような形状を有すると共に、スピーカＣ側に耳に装着するための略Ｕ字形状を有する落下防止ハンガＤを備えている。
【００３０】
そして、これらプレーヤ本体ＡとアームＢとスピーカＣとによってヘッドホン型プレーヤが構成されており、このようなヘッドホン型プレーヤでは、プレーヤ本体Ａにおいて、クロック及び発振を用いるため、該クロック及び発振よる不要輻射が問題となるため、まず、この不要輻射を抑制する例を説明する。
【００３１】
不要輻射に関する規定では、近年ＶＣＣＩ等の規格により対策が進んでいるが、主な規格は他の電子機器に悪影響を与える不要輻射のレベルを想定して１０ｍ離れた距離に対する輻射の強度を全方位的に測定するものであり、機器側の対策として、フェライトコア、チップビーズ、フィルター等のＥＭＩ対策パーツを用いた外部ケーブル等へのノイズ信号成分の伝播を防ぐ方法及び信号自体をなまらせて高周波のノイズ成分を除去する対策、又はシールド材の採用等によす輻射を封じ込めるシールド対策等が用いられていたが、ヘッドホン型プレーヤーの場合は頭部に装着するものであり、頭部に対する影響は方向が固定され、さらに距離は近いものであるので、このような場合の対策はシールド処理が有効であり、且つ輻射発生源に対する頭部方向に限定したシールドで充分である。
【００３２】
そこで、本実施の形態では、プレーヤ本体Ａ内の回路基板２１と頭部との間、即ち、プレーヤ本体ＡにおいてアームＢが延びる側に電池収納部１３を設け、この電池収納部１３に収納される電池１２の外装ケース（通常、アルミ材質等の導電部室が用いられている）により、回路基板２１から直接放射される不要輻射へのシールド効果を得るようにしている。
【００３３】
そして、電池１２が大型の場合には、図６（ａ）に示すように、より広い範囲で回路基板２１をシールドし、又電池１２が小型の場合には、図６（ｂ）に示すように、特に不要輻射レベルの大きい部分（暗号解除処理部５、伸長処理部６）を重点に電池の格納位置を決めるようにすれば良く、このとき、暗号解除処理部５及び伸長処理部６は、配線効率上、基板の同一面で隣接して配置されるか、回路基板２１の表裏で隣接して配置されか、またはマルチチップモジュールによる同一パッケージにパッケージングされるため、電池１２の位置決めは容易である。
【００３４】
尚、スイッチング電源を用いた電源制御部１４を有する回路基板２１では、回路基板２１と電池間のワイヤーハーネスまたはフレキシブルケーブル等の通電経路も電池の回路基板２１側に配線することにより、該配線部分からの不要輻射をもシールドすることができる。
【００３５】
次に、上記のように構成されたヘッドホン型プレーヤについて、頭髪と筺体との間に発生する静電気の影響を抑制する例について説明する。
【００３６】
上記のように構成されたヘッドホン型プレーヤでは、頭髪と筺体表面との摩擦により筺体と人体との間に静電気が帯電しやすいため、本実施の形態では、図７に示すように、回路基板２１及び電池１２を格納する筐体２２と電池１２の端子を、固定抵抗又はフェライトビーズ等の高周波に関してインピーダンス成分のある素子を経由して接続する構成としている。
【００３７】
従って、頭部と筐体２２及び筺体内部が抵抗分をもって電気的に接続され、発生した静電気が空中放電する電圧に達する以前に該経路で通電され、頭部及び筺体表面及び筺体内部の電池１２の例えばマイナス端子が同じ電位になるため、頭髪と機器の筐体表面との摩擦により機器の筐体と人体との間に帯電した静電気が放電されるのを防ぐことができる。
【００３８】
尚、図７に示す例では、電池１２のマイナス端子から回路基板２１に接続する経路とは別経路で接続しており、これによって静電気の流入経路と回路基板２１上の信号ラインを分離できるようにしたが、回路基板２１上であっても、他の信号ラインと分離した配線パターンで接続するか、又は十分広いＧＮＤ等のパターンで接続してもその効果は同等である。
【００３９】
又、静電気放電の印加に対する電池の耐性がある場合は（例えば、二次電池における充電制御回路を内蔵しており、当該回路により正／負両極の静電気に対する耐性が保証された場合等）、筐体２２から直接電池端子に接続してもよい。
【００４０】
次に、上記のように構成されたヘッドホン型プレーヤについて、重心位置を変更できるようにする例について説明する。
【００４１】
ヘッドホン型プレーヤは使用者の頭部が垂直状態である事を前提に重心設計がされており、このように設計されたヘッドホン型プレーヤの場合は、使用者の頭部が垂直状態の場合は、使用者の頭部の重心とヘッドホン型プレーヤの重心が左右方向に関してほぼ中心に一致するが、頭部を傾けた状態で使用すると頭部の重心位置と機器の重心位置のずれが発生し、この状態が長時間続く場合（例えば、入院治療中等に同一姿勢によって連続使用した場合）に支障を来す。
【００４２】
そこで、本実施の形態では、図３及び図４に示すように、プレーヤ本体Ａにおいて、電池１２及び回路基板２１を格納する第１の格納部と、第１の格納部を格納する第１の格納部より大きい第２の格納部を用い、そのスライド制御をプレーヤ本体Ａの底面にて行うと共に、図８に示すように、第１の格納部に格納された回路基板２１とスピーカ９（Ｃ）及び操作部１０（キー・スイッチ）とを結ぶ信号配線を、第１の格納部の左右の移動域をカバーするための長さに関する余裕度、及び左右の移動に耐える弾性を有するフラットケーブルまたはＦＰＣ等の配線により固定位置に配線し、該固定位置から左右（Ｌ／Ｒ）のスピーカ及びその他信号が配線することにより、左右いずれかの親指にて確実に制御することができると共に、頭髪のかみ込みの危険性が上面にて行った場合に比べて小さくすることができる。
【００４３】
尚、上記の例では、電池１２と回路基板２１を第１の格納部に格納するようにしたが、電池１２の重量が充分重く、電池１２のみで重心移動効果が充分ある場合は、電池１２のみを第１の格納部に格納し、回路基板２１は本体側に格納しても同様の効果を奏することができる。
【００４４】
又、第２の格納部は、本体筐体内での第１の格納部の移動を実現するための手段であり、図９に示すように、第２の格納部としてバンド状のアームを用い、該アーム部分に本体をスライドして固定する機構としても、同様の効果を奏することができる。
【００４５】
【発明の効果】
以上のように、本発明によれば、データ処理を行う回路基板と頭部との間に電池収納部を形成することにより、この電池収納部又は電池収納部に収納される電池によって回路基板上に配置された部品から発生する不要輻射の漏洩等を軽減することができるため、シールド部材を別途設ける必要がなく、それに伴って、機器の小型化・軽量化やコストの削減等を行うことができる。
【００４６】
又、本発明によれば、データ処理を行う回路基板と頭部との間に形成する電池収納部を、回路基板における信号処理又は信号転送を高速で行う部位に対向配置することにより、この電池収納部又は電池収納部に収納された電池によって回路基板上に配置された部品から発生する不要輻射の漏洩等を効果的に軽減することができるため、形状の小さい電池を使用する場合にも確実に不要輻射の漏洩を軽減することができる。
【００４７】
又、本発明によれば、データ処理を行う回路基板と頭部との間に電池収納部を形成すると共に、その電池収納部を露出又は閉塞する蓋体を頭部側に形成することにより、電池収納部によって回路基板上に配置された部品から発生する不要輻射の漏洩等を軽減することができると同時に、アーム装着時における電池蓋の誤開閉をも防止することができるため、プレーヤ使用中における電池の落下や紛失等を確実に防止することができる。
【００４８】
又、本発明によれば、プレーヤ本体の筺体と当該筺体内に形成された電池収納部に収納される電池のマイナス端子とを電気的な抵抗素子を通して電気的に接続することにより、頭部及び頭髪とプレーヤ本体の筺体との間の摩擦で発生する静電気が放電電圧に上昇する前にプレーヤ本体の筺体内に通電することができるため、静電気による誤動作を防止することができる。
【００４９】
更に、本発明によれば、プレーヤ本体に備えられた第１の格納部が第２の格納部内に格納されると共に、その第２の格納部内においてスライド機構によってスライド可能に保持することにより、プレーヤ本体の重心位置を自由に選択することができるため、頭部を傾けた状態で長時間使用する場合にも快適な使用状態を実現することができる。
【図面の簡単な説明】
【図１】本発明の一実施の形態であるヘッドホン型プレーヤの電気的構成を示す機能ブロック図である。
【図２】同ヘッドホン型プレーヤの外観構成を示す斜視図であって、背面側を斜め上方から見た場合を示すものである。
【図３】同ヘッドホン型プレーヤの外観構成を示す斜視図であって、正面側を上方から見た場合を示すものである。
【図４】同ヘッドホン型プレーヤの外観構成を示す斜視図であって、正面側を下方から見た場合を示すものである。
【図５】同ヘッドホン型プレーヤを装着したときの外観構成を示す斜視図である。
【図６】同ヘッドホン型プレーヤにおけるプレーヤ本体の回路基板と電池との位置関係を示す説明図であり、（ａ）は電池の形状が大きい場合の例を（ｂ）は電池の形状が小さい場合の例をそれぞれ示すものである。
【図７】同ヘッドホン型プレーヤにおけるプレーヤ本体の筺体と回路基板と電池との関係を示す説明図である。
【図８】同ヘッドホン型プレーヤのプレーヤ本体内の信号配線の状態を示す説明図である。
【図９】同ヘッドホン型プレーヤにおける外観構成の他の例を示す上面図である。
【符号の説明】
Ａ    プレーヤ本体
Ｂ    アーム
Ｃ    スピーカ
Ｄ    落下防止ハンガ
１    記憶部
２    メモリ接続部
３    アダプタ接続部
４    開閉蓋
５    暗号解除処理部
６    伸長処理部
７    Ｄ／Ａ変換器
８    アンプ
９    スピーカ
１０    操作部
１１    ディスプレイ
１２    電池
１３    電池収納部
１４    電池蓋
１５    電源制御部
１６    ＣＰＵ
【図１】
0003650563.tif 000002
【図２】
0003650563.tif 000003
【図３】
0003650563.tif 000004
【図４】
0003650563.tif 000005
【図５】
0003650563.tif 000006
【図６】
0003650563.tif 000007
【図７】
0003650563.tif 000008
【図８】
0003650563.tif 000009
【図９】
0003650563.tif 000010